(57)【特許請求の範囲】
【請求項１】
フレーム（１）に、滑り台状に形成された袋体の移動通路（１５）に向けて前後に揺動自在な受台（２）を設け、該受台（２）内の上部に、該受台（２）の揺動軸（３）と同一方向に、かつほぼ平面状に整列して多数のフリーローラ（４）から成るローラ群（５）を設けるとともに、前記滑り台状に形成された袋体の移動通路の上流に位置する受台（２）の先端部に対して反対側に位置する受台（２）の後端部に、前記フリーローラ（４）と平行に、かつ前記ローラ群（５）よりも高く停止部材（６）を設け、また、前記受台（２）の底部（７）に、互に反対方向に向けて二つのアクチュエータ（８）、（８）を設け、該アクチュエータ（８）、（８）の作動部材（９）、（９）に、前記受台（２）に設けたフリーローラ（４）の間を、互に反対方向に移動する脚部(１０)、(１０)をそれぞれ配設し、該脚部（１０）、（１０）に前記ローラ群（５）上に位置する押圧部材（１１）、（１１）を設け、前記フレーム（１）と前記受台（２）間に、受台（２）を揺動させる主シリンダ（１２）を設けて成る整列装置（１３）に形成し、該整列装置（１３）に粉、粒体を収容した平面ほぼ四角状の袋体を供給する供給機（１４）を配設し、また前記整列装置（１３）の下流に設けた滑り台状に形成された袋体を移動させる移動通路（１５）の移動方向の途中に、袋体開封用のカッタ（１６）を設けるとともに、前記移動通路に連通する粉、粒体を収容する収容部（１７）を設けたことを特徴とする整列装置付開袋機。
【請求項２】
滑り台状に形成された袋体の移動通路の上流側に位置する受台（２）の先端部に対して反対側に位置する受台（２）の後端部の外側面（１８）とフレーム（１）の間に緩衝ストッパ装置（１９）を有している請求項１記載の整列装置付開袋機。
【発明の詳細な説明】
【０００１】
【発明の属する技術分野】
この発明は、小麦、小麦粉等の粉、粒体を収容した袋体を開袋する場合に用いられる、整列装置付開袋機に関するものである。
【０００２】
【従来の技術】
従来、小麦、小麦粉等の粉、粒体を収容した袋体を開袋する開袋機はすでに各種のものが周知されている。
これら従来のものは公知のため、図示は省略するが、いずれも粉、粒体を収容した袋体を、滑り台等から滑落させて、カッターに供給し、開袋し、振動等により内容物を袋体から落下させて取り出すようになっている。
【０００３】
【発明が解決しようとする課題】
しかし上記従来の開袋機はいずれも次に述べるような欠点を有している。
それは、カッタによる開袋の位置が一定しない事である。これはカッタに供給する袋体が厳密に一定位置に整列して供給されない事による。そして開袋位置の不定は内容品の完全な取り出しの妨げとなる場合がある。これは例えば袋体の端部近くを開袋した場合、開袋部の下向きの傾斜が浅く、粉粒体の完全な落下がしにくいのである。。
【０００４】
この発明はのような問題を解決するためになされたもので、その目的は厳密に袋体の所定位置を開袋することができ、これにより内容品取り出しを完全に行うことのできる。整列装置付開袋機を提供することである。
【０００５】
【課題を解決するための手段】
上記の目的を達成するこの発明について述べるとそれは、フレーム１に、滑り台状に形成された袋体の移動通路１５に向けて前後に揺動自在な受台２を設け、該受台２内の上部に、該受台２の揺動軸３と同一方向に、かつほぼ平面状に整列して多数のフリーローラ４から成るローラ群５を設けるとともに、前記滑り台状に形成された袋体の移動通路の上流に位置する受台２の先端部に対して反対側に位置する受台２の後端部に、前記フリーローラ４と平行に、かつ前記ローラ群５よりも高く停止部材６を設け、また、前記受台２の底部７に、互に反対方向に向けて二つのアクチュエータ８、８を設け、該アクチュエータ８、８の作動部材）、９に、前記受台２に設けたフリーローラ４の間を、互に反対方向に移動する脚部１０、１０をそれぞれ配設し、該脚部１０、１０に前記ローラ群５上に位置する押圧部材１１、１１を設け、前記フレーム１と前記受台２間に、受台２を揺動させる主シリンダ１２を設けて成る整列装置１３に形成し、該整列装置１３に粉、粒体を収容した平面ほぼ四角状の袋体を供給する供給機１４を配設し、また前記整列装置１３の下流に設けた滑り台状に形成された袋体を移動させる移動通路１５の移動方向の途中に、袋体開封用のカッタ１６を設けるとともに、前記移動通路に連通する粉、粒体を収容する収容部１７を設けた整列装置付開袋機としたことである。
又滑り台状に形成された袋体の移動通路の上流側に位置する受台２の先端部に対して反対側に位置する受台２の後端部の外側面１８とフレーム１の間に緩衝ストッパ装置１９を有している前記整列装置付開袋機としたこである。
【０００６】
【発明の実施の形態】
受台２は前記のように構成されたことにより、供給装置１４により受台２上に載置された袋体は、主シリンダ１２を作動させて、前記受台２を行程の後方（袋体の移動通路と反対方向）に傾斜させる事によりフリーローラ４上の袋体を後方に滑らせ、袋体の側辺を受台２の停止部材６に寄らせ、受台２の停止部材６はフリーローラ４と平行なので、これにより前記袋体の側辺を進行方向に対して直角に位置させることができる。
なお、これは上記操作のほかに、予め受台２を後方に傾けておき、その上に袋体を載置して重力により滑落させて停止部材６に寄らせ、袋体の側辺を進行方向に対して直角に位置させてもよい。
次に、その位置で又は受台２を主シリンダ１２により水平にした位置で、二つのアクチュエータ８、８をそれぞれ作動させる事により脚部１０，１０がフリーローラ４の間を互いに近よる方向に動き、これにそれぞれ設けた押圧部材１１，１１がローラ群５上を互いに近づき、これにより袋体を、その左右方向の位置を一定させ、規制する。次に主シリンダ１２を作動させ、受台２を行程の前方が下方となるように傾斜させる事により袋体を整列装置１３の下流に設けられた移動通路１５に供給すると、それに従い移動させられ、この移動通路１５に対応して設けられたカッタ１６に対し、整列させて所定位置とした袋体を供給でき、開口箇所を厳密に一定させる事ができる。即ち受台２の一方への揺動を利用して、カッタ１６に対する、袋体の側辺を直角に規制する事ができ、又他方への揺動を利用してカッタ１６への供給を行う事ができる。従って、受台２においては袋体の左右方向の位置の規制をするだけでよく、従って簡単な構造とすることができる。又脚部１０、１０はそれぞれフリーローラ４の間に設けられた事により、かつ又この脚部１０，１０に、ローラ群５より高く形成した押圧部材１１、１１を設けたことにより、押圧部材１１，１１を互いに近づく方向または遠ざかる方向へ移動させる事ができる。それにより袋体の左右方向の位置を一定とさせる事ができる。
そして前記のように一定位置で開袋させる事ができるため、袋体からの内容の粉粒体の落下による取出しをむらなく良好に行うことができる。
又受台２の袋体の移動通路１５側の端部に対して反対側に位置する受台の端部の外側面１８とフレーム１との間に緩衝ストッパ１９を有しているものは、作動を円滑に騒音を少なく行わせる事ができる。又前方への揺動を容易にする事もできる。
【０００７】
図１において、１はフレームであり、同フレーム１に受台２が前後に揺動自在に設けられている。３は揺動軸である。そして上記受台２の上部で、前記揺動軸３と同一方向に多数のフリーローラ４が設けられ、かつこのフリーローラ４は図示のようにほぼ平面状に整列し、ローラ群５が形成されている。６は板状に形成された停止部材で、受台２の後端にフリーローラ４と平行にかつローラ群５よりも高く設けられている。次に図３において８、８は共にアクチュエータを示し、受台２の底部７上に互に反射方向を向いて設けられている。この各アクチュエータ８、８は一例としてシリンダで、これは空気圧を用いるものであっても、油圧を用いるものであっても、或いは又電動方式のアクチュータであっても差支えはない。
そしてこのアクチュエータ８、８のそれぞれの作動部材９、９にそれぞれ図２に示すように脚部１０、１０が設けられており、この脚部１０、１０はそれぞれ前記フリーローラ４の間を往復動し得るように形成されている。そして同脚部１０、１０に、同図に示すようにそれぞれ板状の押圧部材１１、１１が設けられている。そしてこの各押圧部材１１、１１が互いに近よる方向に移動することにより袋体は受台２の中心に位置させられるようになっている。これにより左右方向の位置が一定され、規制される。
なお上記アクチュエータ８、８は図５に示すように構成されてもよい。図５に示すものは二連装の流体圧シリンダを示し、第一シリンダ２１に第２シリンダ２２が同軸に一体に設けられてアクチュエータ８を形成している。第１シリンダ２１のピストンロッド２５は受台２の底部７に固定されており、このためアクチュエータ８は軸方向に移動し、第二シリンダ２２のピストン２８も作動により脚部１０を移動させることにより二種類の、脚部１０の移動ができる。
これにより２種類の大きさの袋体２９の位置規正ができる。２６は流体通路を示す。
【０００８】
図１において２９は一例として小麦を収容した袋体であり、供給装置１４により受台２上に供給され、受台２は主シリンダー１２の作動により同図に示すように最初後向きに傾斜させられ、袋体２９は後方に滑り、停止部材６により停止し、これにより袋体２９の側辺３０は進行方向に直角に位置させられる。そしてその状態で、又は受台２が主シリンダ１２により水平にさせられた状態で、副シリンダ８、８の作動により押圧部材１１、１１が互に近よる方向に移動し、袋体２９は受台２の中心に位置させられる。即ち左右方向の位置を一定に規制される。
【０００９】
この状態において受台２は主シリンダ１２により前方が下方となるように傾斜させられ、袋体２９は受台２のローラ群５上を前方に滑り、受台２の下流に設けられた、滑り台状に形成された移動通路１５に供給される。
そして上記該移動通路１５に対応して設けられた二つの回転するカッタ１６により開袋される。
開袋された袋体２９はその内容の小麦等を落下させ、収容部１７に収容される。なおこの場合前記移動通路１５を設けた機枠が振動装置により振動させられる。
【００１０】
【発明の効果】
受台２は前記のように構成されたことにより、供給装置１４により受台２上に載置された袋体は、主シリンダ１２を作動させて、前記受台２を行程の後方に傾斜させる事により、フリーローラ４上の袋体を後方に滑らせ、袋体の側辺を停止部材５に寄らせ、停止部材５はフリーローラ４と平行なので、これにより前記袋体の側辺を進行方向に対して直角に位置させることができる。次に、その位置で又は受台２を主シリンダ１２により水平にした位置で、二つの副シリンダ８、８をそれぞれ作動させる事により脚部１０、１０がフリーローラ４の間を互いに近よる方向に動き、これにそれぞれ設けた押圧部材１１、１１がローラ群５上を互いに近づき、これにより袋体を、その左右方向の位置を一定させ、規制する。次に主シリンダ１２を作動させ、受台２を行程の前方が下方となるように傾斜させる事により袋体を整列装置１３の下流に設けられた移動通路１５に供給すると、 それにより移動させられ、 この移動通路１５に対応して設けられた回転するカッタ１６に対し、 整列させて所定位置とした袋体を供給でき、 開口個所を厳密に一定させる事ができる。 即ち受台２の一方への揺動を利用して、 回転するカッタ１６に対する、 袋体の側辺を直角に規制する事ができ、 又他方への揺動を利用して回転するカッタ１６への供給を行う事ができる。従って受台２においては袋体の左右方向の位置を規制するだけでよく、従って簡単な構造とする事ができる。又脚部１０、１０はそれぞれフリーローラ４の間に設けられた事により、かつ又この脚部１０、１０に、ローラ群５より高く形成した押圧部材１１、１１を設けたことにより、押圧部材１１、１１を互いに近づく方向又は遠ざかる方向へ移動させる事ができる。それにより袋体の左右方向の位置を一定とさせる事ができる。
【００１１】
そして前記のように一定位置で開袋させる事ができるため、袋体から内容の粉粒体の落下による取出しをむらなく良好に行うことができる。
又受台２の袋体の移動通路１５側の端部に対して反対側に位置する受台の端部の外側面１８とフレーム１の間に緩衝ストッパ装置１９を有しているものは、作動を円滑に騒音を少なく行わせる事ができる。また前方への搖動を容易にする事もできる。
【図面の簡単な説明】
【図１】この発明の実施例を示し、整列装置付開袋機の部分である整列装置の概略を示す側面図である。
【図２】図１に示す整列装置の背面図である。
【図３】図１に示す整列装置の下面図である。
【図４】図１に示す整列装置の前方に傾斜した、供給状態を示す図である。
【図５】この発明の他の実施例を示し、図３に示す装置の部分の他の例を示す断面図である。
【図６】この発明の実施例を示し、整列装置付開袋機の平面図である。
【図７】図５に示す整列装置付開袋機の側面図である。
【図８】図６に示す整列装置付開袋機の後面図である。
【符号の説明】
１      フレーム
２      受台
３      揺動軸
４      フリーローラ
５      ローラ群
６      停止部材
７      底部
８      副シリンダ
９      ピストンロッド
１０    脚部
１１    押圧部材
１２    主シリンダ
１３    整列装置
１４    供給機
１５    移動通路
１６    カッタ
１７    収容部
１８    外側面
【図１】
0003849156.tif 000002
【図２】
0003849156.tif 000003
【図３】
0003849156.tif 000004
【図４】
0003849156.tif 000005
【図５】
0003849156.tif 000006
【図６】
0003849156.tif 000007
【図７】
0003849156.tif 000008
【図８】
0003849156.tif 000009